(57)【要約】【課題】測色機能を備えていない記録装置に対し測色機能を容易に付加することができる測色ユニットを提供すること。【解決手段】互いに間隔を隔てて対峠して配置された支持板３５３と、支持板の間に配設された案内軸３５２と、支持板の間に亘って帳架された無端ベルト３５１ｅと、無端ベルトを移動させる第１の駆動手段３５０と、被記録媒体に記録された測色パターンを測色する測色器３１２を搭載しており、案内軸に第２の駆動手段３３０を介して取り付けられ、案内軸に対し接近・離間すると共に、無端ベルトに係止手段を介して係止され、案内軸に沿って移動する測色器保持部３１０と、支持板に第３の駆動手段３４０を介して取り付けられ、被記録媒体に対し接近・離間する媒体押え部３２０とを備える。これにより、測色の際の必要な機能を１つに纏めることができるので、測色機能を備えていない記録装置に対し測色機能を容易に付加することができる。【選択図】図１
2007256104.tif 000002
【特許請求の範囲】
【請求項１】
互いに間隔を隔てて対峠して配置された支持板と、
該支持板の間に配設された案内軸と、
前記支持板の間に亘って帳架された無端ベルトと、
該無端ベルトを移動させる第１の駆動手段と、
被記録媒体に記録された測色パターンを測色する測色器を搭載しており、前記案内軸に第２の駆動手段を介して取り付けられ、前記案内軸に対し接近・離間すると共に、前記無端ベルトに係止手段を介して係止され、前記案内軸に沿って移動する測色器保持部と、
前記支持板に第３の駆動手段を介して取り付けられ、前記被記録媒体に対し接近・離間する媒体押え部とを備えることを特徴とする測色ユニット。
【請求項２】
前記測色器保持部は、移動用の車輪を有することを特徴とする請求項１に記載の測色ユニット。
【請求項３】
前記媒体押え部は、前記測色器保持部の移動方向に延びる窓が設けられていることを特徴とする請求項１又は２に記載の測色ユニット。
【請求項４】
前記媒体押え部は、前記測色器の校正部材が設けられていることを特徴とする請求項１〜３の何れか一項に記載の測色ユニット。
【請求項５】
前記校正部材は、前記測色器保持部が待機位置に位置しているときに当該測色器保持部により覆われる位置に設けられていることを特徴とする請求項４に記載の測色ユニット。
【請求項６】
前記媒体押え部は、前記測色器の校正時の位置決め部材が設けられていることを特徴とする請求項１〜５の何れか一項に記載の測色ユニット。
【請求項７】
前記媒体押え部は、前記被記録媒体と接触するリブが少なくとも前記窓の周囲に突設されていることを特徴とする請求項１〜６の何れか一項に記載の測色ユニット。
【発明の詳細な説明】
【技術分野】
【０００１】
本発明は、被記録媒体に記録された測色パターンを測色する測色器を備えた測色ユニットに関する。
【背景技術】
【０００２】
記録装置の１つであるインクジェット式プリンタには測色機能を備えたものがある。このようなインクジェット式プリンタによれば、記録したカラー画像からＣＩＥＸＹＺやＣＩＥＬＡＢ等の色データを測色し、この測色データをＣＭＹＫ表色系等の色データに変換して所望の色再現を得ることができる（特許文献１参照）。
【０００３】
【特許文献１】特開２００５−２４９５６３号公報
【発明の開示】
【発明が解決しようとする課題】
【０００４】
上述した測色機能は、インクジェット式プリンタに備え付けられたものであるため、当該インクジェット式プリンタ専用となっている。従って、測色機能を備えていないインクジェット式プリンタにて記録したカラー画像は、測色専用の装置にて測色する必要があり、特に連続して測色する場合は手間が掛かり過ぎている。
【０００５】
本発明は、上記のような種々の課題に鑑みなされたものであり、その目的は、測色機能を備えていない記録装置に対し測色機能を容易に付加することができる測色ユニットを提供することにある。
【課題を解決するための手段】
【０００６】
上記目的達成のため、本発明の測色ユニットでは、互いに間隔を隔てて対峠して配置された支持板と、該支持板の間に配設された案内軸と、前記支持板の間に亘って帳架された無端ベルトと、該無端ベルトを移動させる第１の駆動手段と、被記録媒体に記録された測色パターンを測色する測色器を搭載しており、前記案内軸に第２の駆動手段を介して取り付けられ、前記案内軸に対し接近・離間すると共に、前記無端ベルトに係止手段を介して係止され、前記案内軸に沿って移動する測色器保持部と、前記支持板に第３の駆動手段を介して取り付けられ、前記被記録媒体に対し接近・離間する媒体押え部とを備えることを特徴としている。これにより、測色の際の必要な機能を１つに纏めることができるので、測色機能を備えていない記録装置に対し測色機能を容易に付加することができる。
【０００７】
また、前記測色器保持部は、移動用の車輪を有することを特徴としている。これにより、測色器保持部を媒体押え部上でスムーズに移動させることができ、測色精度を向上させることができる。また、前記媒体押え部は、前記測色器保持部の移動方向に延びる窓が設けられていることを特徴としている。これにより、被記録媒体を押えながら測色することができ、測色精度を向上させることができる。また、前記媒体押え部は、前記測色器の校正部材が設けられていることを特徴としている。これにより、測色に続いて校正に入ることができ、測色及び校正の処理時間を短縮させることができる。
【０００８】
また、前記校正部材は、前記測色器保持部が待機位置に位置しているときに当該測色器保持部により覆われる位置に設けられていることを特徴としている。これにより、校正部材を覆うカバーを別途設ける必要が無く、部品コストの上昇を抑えることができる。また、前記媒体押え部は、前記測色器の校正時の位置決め部材が設けられていることを特徴としている。これにより、複雑な位置決め制御を行わなくても高精度な校正を行うことができる。また、前記媒体押え部は、前記被記録媒体と接触するリブが少なくとも前記窓の周囲に突設されていることを特徴としている。これにより、測色パターンをリブに接触しない間隔を開けて被記録媒体に記録することにより、高精度な測色を連続して行うことができる。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の測色ユニットの一実施形態を示す斜視図である。この測色ユニット３００は、測色器３１２を保持する測色器ホルダ（測色器保持部）３１０と、測色時に用紙（被記録媒体）を押える紙押えプレート（媒体押え部）３２０を備えている。更に、測色器ホルダ３１０を測色面に対し接近・離間させるホルダ昇降アクチュエータ（第２の駆動手段）３３０、紙押えプレート３２０を測色面に対し接触・離間させるプレート昇降アクチュエータ（第３の駆動手段）３４０、測色器ホルダ３１０を測色面に沿って移動させるホルダ移動アクチュエータ（第１の駆動手段）３５０を備えている。
【００１１】
測色器ホルダ３１０は、底面が開放された箱状に形成されており、用紙に記録された測色パターンを測色する既存の測色器３１２が内蔵されている。紙押えプレート３２０は、矩形板状に形成されており、長辺側の両側部には測色器ホルダ３１０の移動を案内するガイドレール３２１が突設され、ガイドレール３２１の間にはガイドレール３２１に沿った帯状の測色用窓３２２が穿設されている。
【００１２】
更に、紙押えプレート３２０の図示左側のホームポジション（待機位置）における測色用窓３２２の近傍には、測色器３１２の測色校正用の円形状のホワイトタイル（校正部材）３２３が円形状の壁３２７に囲まれて配設されている。そして、ホワイトタイル３２３近傍における両側部のガイドレール３２１上及びそれらの間には、測色器３１２の測色校正時の位置決め突起（位置決め部材）３２４が突設されている。そして、紙押えプレート３２０の裏面における周縁部と測色用窓３２２の裏面における周縁部には、リブ３２５が突設されている。尚、この測色器ホルダ３１０と紙押えプレート３２０の詳細については後述する。
【００１３】
ホルダ昇降アクチュエータ３３０は、ソレノイド３３１とこのソレノイド３３１を支持するソレノイド支持部材３３２と測色器ホルダ３１０の昇降を案内するガイドアーム３３３を備えている。ソレノイド３３１は、本体部３３１ａがソレノイド支持部材３３２に固定され、ロッド部３３１ｂが測色器ホルダ３１０に固定されている。ソレノイド支持部材３３２は、後述するホルダガイド軸３５２に摺動自在に取り付けられている。ガイドアーム３３３は、測色器ホルダ３１０とソレノイド支持部材３３２の間に２本平行に配設されており、各一端が測色器ホルダ３１０の一側面に回転自在に軸支持され、各他端がソレノイド支持部材３３２に回転自在に軸支持されている。
【００１４】
このような構成によれば、ソレノイド支持部材３３２に固定されているソレノイド３３１のロッド部３３１ｂが、本体部３３１ａに対し突出・引込することにより、ガイドアーム３３３がソレノイド支持部材３３２側を中心に円弧状に往復旋回する。従って、ソレノイド支持部材３３２が取り付けられているホルダガイド軸３５２に対し測色器ホルダ３１０を昇降させることができる。即ち、紙押えプレート３２０に対して測色器ホルダ３１０を接触・離間させることができる。
【００１５】
プレート昇降アクチュエータ３４０は、ソレノイド３４１と紙押えプレート３２０の昇降を案内するガイドアーム３４２を備えている。ソレノイド３４１は、本体部３４１ａが後述するフレーム（支持板）３５３に固定され、ロッド部３４１ｂが紙押えプレート３２０に固定されている。ガイドアーム３４２は、紙押えプレート３２０の長辺側の両端部にそれぞれ２本平行に配設されており、各一端が紙押えプレート３２０の両端部の側板３２６に回転自在に軸支持され、各他端がホルダ移動アクチュエータ３５０の両側のフレーム３５３に回転自在に軸支持されている。
【００１６】
このような構成によれば、図示右側のフレーム３５３に固定されているソレノイド３４１のロッド部３４１ｂが、本体部３４１ａに対し突出・引込することにより、ガイドアーム３４２がフレーム３５３側を中心に円弧状に往復旋回する。従って、フレーム３５３に支持されているホルダガイド軸３５２に対し紙押えプレート３２０を昇降させることができる。即ち、この測色ユニット３００がセットされている例えばプリンタの用紙搬送面に対して紙押えプレート３２０を接触・離間させることができる。
【００１７】
ホルダ移動アクチュエータ３５０は、ベルト・プーリ機構３５１と２本のホルダガイド軸（案内軸）３５２と２枚のフレーム３５３を備えている。ベルト・プーリ機構３５１は、２つのプーリ３５１ａ、３５１ｂとモータ３５１ｃとプーリ支持部材３５１ｄとベルト（無端ベルト）３５１ｅを備えている。プーリ３５１ａはモータ３５１ｃの回転軸に嵌め込まれ、プーリ３５１ｂはプーリ支持部材３５１ｄに回転自在に軸支持されている。モータ３５１ｃは、紙押えプレート３２０の長辺側の図示左端部に配設されて図示しない左側のサイドフレームに固定されている。
【００１８】
プーリ支持部材３５１ｄは、紙押えプレート３２０の長辺側の図示右端部に配設されて図示しない右側のサイドフレームに固定されている。ベルト３５１ｅは、プーリ３５１ａ、３５１ｂ間に掛け渡され、またベルト途中がソレノイド支持部材３３２に固定されている。ホルダガイド軸３５２は、紙押えプレート３２０の長辺方向に平行に２本配設されている。フレーム３５３は、ホルダガイド軸３５２の両端を支持していると共に、上述したようにガイドアーム３４２を支持しており、更に左側のサイドフレームはモータ３５１ｃを支持し、右側のサイドフレームはプーリ支持部材３５１ｄを支持している。
【００１９】
このような構成によれば、左側のサイドフレームに固定されているモータ３５１ｃが駆動することにより、ベルト３５１ｅに固定されているソレノイド支持部材３３２がベルト３５１ｅに連行されてホルダガイド軸３５２に沿って摺動する。従って、ソレノイド３３１に固定されている測色器ホルダ３１０をホルダガイド軸３５２に沿って移動させることができる。即ち、測色器ホルダ３１０が紙押えプレート３２０と接触しているときは、測色器ホルダ３１０を紙押えプレート３２０に沿って移動させることができる。
【００２０】
図２は、上記測色器ホルダ３１０の詳細を下方から見た斜視図、図３は、その分解斜視図である。この測色器ホルダ３１０は、底面が開放された箱状に形成されたホルダ本体３１１、このホルダ本体３１１に内蔵された測色器３１２、このホルダ本体３１１に回転自在に取り付けられたホルダホイール（車輪）３１３を備えている。ホルダ本体３１１は、２分割されており、それらの間に測色器３１２が配置されてネジ３１４により合体固定されるようになっている。そして、ホルダ本体３１２の四隅のうちの３つの隅の内側下部には、ホルダホイール３１３が回転自在に取り付けられている。また、対向するホルダホイール３１３が取り付けられているホルダ本体３１２の２つの隅の外側下部には、紙押えプレート３２０のガイドレール３２１上に形成されている位置決め突起３２４上に乗り上がって測色器３１２の測色校正時の位置決めをする位置決め部材３１５が形成されている。
【００２１】
図４及び図５は、測色器ホルダ３１０の紙押えプレート３２０上での動作状態を示す斜視図、図６は、図５のときの断面図である。初期状態では、測色器ホルダ３１０及び紙押えプレート３２０は、ホルダ昇降アクチュエータ３３０及びプレート昇降アクチュエータ３４０により上方に移動し、更に測色器ホルダ３１０は、ホルダ移動アクチュエータ３５０により紙押えプレート３２０のホームポジション側に移動している。
【００２２】
先ず、図４に示すように、測色パターンが記録された用紙Ｐが搬送されてきて測色位置に位置決めされたら、測色器ホルダ３１０及び紙押えプレート３２０は、ホルダ昇降アクチュエータ３３０及びプレート昇降アクチュエータ３４０により下方に移動し、紙押えプレート３２０が用紙Ｐを押さえ付ける。このとき、紙押えプレート３２０の裏面における周縁部と測色用窓３２２の裏面における周縁部に設けられているリブ３２５のみが用紙Ｐと接触するので、特に測色パターン部分の汚染を防止して高精度な測色を行うことができる。尚、このリブ３２５が上記作用効果を奏するためには、少なくとも測色用窓３２２の裏面における周縁部に設けられていれば良い。
【００２３】
そして、測色器ホルダ３１０がホルダ移動アクチュエータ３５０によりホームポジションから離脱して移動し、測色器３１２が紙押えプレート３２０の測色用窓３２２を介して測色パターンを測色する。このとき、測色器ホルダ３１０のホルダホイール３１３は、紙押えプレート３２０の両側部のガイドレール３２１間に入り込んで接触して転動する。従って、測色器ホルダ３１０を紙押えプレート３２０上でスムーズに移動させることができると共に、測色器３１２の測色を高精度に行うことができる。
【００２４】
次に、図５に示すように、測色器３１２による測色が完了して測色器ホルダ３１０がホルダ移動アクチュエータ３５０によりホームポジションに戻ってくると、測色器ホルダ３１０の位置決め部材３１５が紙押えプレート３２０のガイドレール３２１上に形成されている位置決め突起３２４上に乗り上がると共に、測色器ホルダ３１０の図示左側底部が紙押えプレート３２０のガイドレール３２１間に形成されている位置決め突起３２４上に乗り上がって測色器３１２の測色校正時の位置決めをする。
【００２５】
このとき、図６に示すように、測色器ホルダ３１０は、紙押えプレート３２０の位置決め突起３２４により３点支持されると共に、測色器ホルダ３１０のホルダホイール３１３は紙押えプレート３２０から離間するので、測色器３１２を紙押えプレート３２０のホワイトタイル３２３上にガタツキ無く高精度に位置決めすることができる。更に、測色器ホルダ３１０は、紙押えプレート３２０のホワイトタイル３２３の周囲を壁３２７と共に覆うことになるので、ホワイトタイル３２３の汚染を防止することができる。従って、測色器３１２の校正を常に高精度に行うことができる。尚、測色器ホルダ３１０の図示左側面を紙押えプレート３２０の図示左側の側板３２６に当接させて測色器３１２の測色校正時の位置決めをするようにしても良い。
【００２６】
以上のように、本実施形態の測色ユニット３００によれば、測色の際の必要な機能が１つに纏められているので、測色機能を備えていない記録装置に対し測色機能を容易に付加することができる。また、測色器ホルダ３１０は、移動用のホルダホイール３１３を有するので、測色器ホルダ３１０を紙押えプレート３２０上でスムーズに移動させることができ、測色精度を向上させることができる。
【００２７】
また、紙押えプレート３２０は、測色器ホルダ３１０の移動方向に延びる測色用窓３２２が設けられているので、用紙を押えながら測色することができ、測色精度を向上させることができる。また、紙押えプレート３２０は、測色器３１２のホワイトタイル３２３が設けられているので、測色に続いて校正に入ることができ、測色及び校正の処理時間を短縮させることができる。また、ホワイトタイル３２３は、測色器ホルダ３１０がホームポジションに位置しているときに測色器ホルダ３１０により覆われる位置に設けられているので、ホワイトタイル３２３を覆うカバーを別途設ける必要が無く、部品コストの上昇を抑えることができる。
【００２８】
また、紙押えプレート３２０は、測色器３１２の校正時の位置決め突起３２４が設けられているので、複雑な位置決め制御を行わなくても高精度な校正を行うことができる。尚、ホワイトタイル３２３の周囲の壁３２７も測色器３１２の校正時の位置決め突起として形成するようにしても良い。また、紙押えプレート３２０は、用紙と接触するリブ３２５が少なくとも測色用窓３２２の周囲に突設されているので、測色パターンをリブ３２５に接触しない間隔を開けて用紙に記録することにより、高精度な測色を連続して行うことができる。
【００２９】
尚、上述した実施形態では、ホルダ昇降アクチュエータ３３０及びプレート昇降アクチュエータ３４０として、ソレノイドを用いたが、これに限定されるものでは無く、例えばエアシリンダ、油圧シリンダやモータとギア機構等を用いることができる。また、ホルダ移動アクチュエータ３５０として、ベルト機構を用いたが、これに限定されるものでは無く、例えばリニアモータやモータとボールネジ等を用いることができる。
【産業上の利用可能性】
【００３０】
測色ユニットが取付可能な記録装置であれば、インクジェット式プリンタ、ファクシミリ装置、コピー装置等であっても適用可能である。
【図面の簡単な説明】
【００３１】
【図１】本発明の測色ユニットの一実施形態を示す斜視図である。
【図２】図１の測色ユニットの測色器ホルダの詳細を下方から見た斜視図である。
【図３】図２の分解斜視図である。
【図４】図１の測色ユニットの測色器ホルダの紙押えプレート上での動作状態を示す第１の斜視図である。
【図５】図１の測色ユニットの測色器ホルダの紙押えプレート上での動作状態を示す第２の斜視図である。
【図６】図５の断面図である。
【符号の説明】
【００３２】
３００  測色ユニット、３１０  測色器ホルダ、３１２  測色器、３２０  紙押えプレート、３３０  ホルダ昇降アクチュエータ、３４０  プレート昇降アクチュエータ、３５０  ホルダ移動アクチュエータ
【図１】
2007256104.tif 000003
【図２】
2007256104.tif 000004
【図３】
2007256104.tif 000005
【図４】
2007256104.tif 000006
【図５】
2007256104.tif 000007
【図６】
2007256104.tif 000008